(57)【要約】【課題】目的のデータを記録した領域に続く所定長の領域を確実に消去することが可能な情報記録装置および情報記録方法を提供する。【解決手段】ステップＳ６０１で記録時の回転速度に切り替え、ステップＳ６０２で目的のデータを記録し、ステップＳ６０３で記録時よりも低速な消去時の回転速度に切り替え、ステップＳ６０４で目的のデータを記録した記録終端に続く所定長の領域を消去する。【選択図】図６
2008052814.tif 000002
【特許請求の範囲】
【請求項１】
ディスク状の書き換え可能な記録媒体に対してデータの記録を行う情報記録方法であって、
（ａ）前記記録媒体の回転速度を回転速度αに設定して、所定の記録パワーと消去パワーでレーザーを発光させて前記データを記録するステップと、
（ｂ）前記記録媒体の回転速度を回転速度β（β＜α）に設定して、所定の消去パワーで前記レーザーを発光させて、所定領域に記録されているデータを消去するステップと
を含む情報記録方法。
【請求項２】
ディスク状の書き換え可能な記録媒体に対してデータの記録を行う情報記録方法であって、
（ａ）前記記録媒体の回転速度を回転速度αに設定するステップと、
（ｂ）所定の記録パワーと消去パワーでレーザーを発光させて前記データを記録するステップと、
（ｃ）前記記録媒体の回転速度を回転速度β（β＜α）に設定するステップと、
（ｄ）前記ステップ（ｂ）で前記データを記録した記録終端に続く所定長の領域におけるデータを、所定の消去パワーで前記レーザーを発光させて、消去するステップと
を含む情報記録方法。
【請求項３】
前記記録媒体は共晶系相変化材料を含む記録膜が設けられた光ディスクである請求項１〜２に記載の情報記録方法。
【請求項４】
前記回転速度βは前記回転速度αに対し、α／４≦β≦３α／４の関係にあることを特徴とする請求項１〜３のいずれかに記載の情報記録方法。
【請求項５】
前記回転速度αは線速度が１３．９６ｍ／秒である請求項４に記載の情報記録装置。
【請求項６】
ディスク状の書き換え可能な記録媒体に対してデータの記録を行う情報記録装置であって、
前記記録媒体にデータの記録又は消去を行う記録消去手段と、
前記記録媒体の回転速度を制御する回転速度制御手段と、
前記記録消去手段および前記回転速度制御手段の動作を制御するシステム制御手段とを備え、
前記システム制御手段は、
前記記録媒体の回転速度を回転速度αに設定して、所定の記録パワーと消去パワーでレーザーを発光させて前記データを記録するコマンドと、
前記記録媒体の回転速度を回転速度β（β＜α）に設定して、所定の消去パワーで前記レーザーを発光させて、所定領域に記録されているデータを消去するコマンドを、前記記録消去手段と前記回転速度制御手段に対して発行することを特徴とする情報記録装置。
【請求項７】
ディスク状の書き換え可能な記録媒体に対してデータの記録を行う情報記録装置であって、
前記記録媒体にデータの記録又は消去を行う記録消去手段と、
前記記録媒体の回転速度を制御する回転速度制御手段と、
前記記録消去手段および前記回転速度制御手段の動作を制御するシステム制御手段とを備え、
前記システム制御手段は、
前記記録媒体の回転速度を回転速度αに設定するコマンドと、
所定の記録パワーと消去パワーでレーザーを発光させて前記データを記録するコマンドと、
前記記録媒体の回転速度を回転速度β（β＜α）に設定するコマンドと、
前記データを記録した記録終端に続く所定長の領域におけるデータを、所定の消去パワーで前記レーザーを発光させて、消去するコマンドを、前記記録消去手段と前記回転速度制御手段に対して発行することを特徴とする情報記録装置。
【請求項８】
前記記録媒体は共晶系相変化材料を含む記録膜が設けられた光ディスクである請求項６〜７のいずれかに記載の情報記録装置。
【請求項９】
前記回転速度βは前記回転速度αに対し、α／４≦β≦３α／４の関係にあることを特徴とする請求項６〜８のいずれかに記載の情報記録装置。
【請求項１０】
前記回転速度αは線速度が１３．９６ｍ／秒である請求項９に記載の情報記録装置。
【発明の詳細な説明】
【技術分野】
【０００１】
本発明は、ディスク状の書き換えが可能な記録媒体に対してデータを記録する情報記録装置、および、情報記録方法に関する。
【背景技術】
【０００２】
近年、ＤＶＤ−Ｒのような追記型の光ディスクやＤＶＤ−ＲＷのような書き換え可能型の光ディスクが普及してきている。ＤＶＤ−ＲＷは書き換え可能ではあるが、ＤＶＤ−Ｒと同様な記録を可能とする追記モードを持っており、この追記モードを使用することによりデータを追記的に記録することが可能である。追記モードでの記録時には、ＤＶＤ−Ｒに記録する場合と同じようにリンキング処理が必要である。すなわち、ディスク上でのデータを追記する箇所を正確に決めるために、記録済み領域と未記録領域の境界を正確に探索する必要がある。
【０００３】
ところで、ＤＶＤ−ＲＷのような書き換え可能型の光ディスクの場合は、記録済みのディスクを消去して未記録のディスクとして使用することが可能である。この消去した状態であるブランク状態にする方法としては、ディスク全面に渡りデータが記録されている領域を未記録状態にするフルブランクモードとディスク内周部の特定領域のみを未記録状態にする最小限ブランクモードとがある。
【０００４】
しかし、最小限ブランクモードでブランク状態にしたディスクでは、ユーザ領域のデータは残されたままであるため、再生信号の振幅等を観測してユーザ領域における記録済み領域と未記録領域の境界を探索することはできず、ユーザ領域でのＤＶＤ−Ｒ追記モードの適用による追記は事実上できなかった。
【０００５】
そこで、従来は、記録を行った後に、記録領域に続く所定長の領域を消去することにより、記録済み領域と未記録領域の境界を正確に探索することを可能とする技術が考えられていた。すなわち、所定量の情報を記録し終えた直後には常に空白の領域が存在することになり、情報を追記するときには、再生信号の振幅等を観測して記録済み領域と未記録領域の境界を特定することができるとされている（例えば、特許文献１参照）。
【特許文献１】特開２００４−１８５６５０号公報
【発明の開示】
【発明が解決しようとする課題】
【０００６】
ところが、前記のように、単に情報の消去のみを実行しようとした場合、消し残りが発生する場合がある。特に、高速記録型の光ディスクにおいてその傾向は顕著である。
【０００７】
図９は共晶系相変化記録材料で構成された記録膜を有するＤＶＤ−ＲＷを使用し、４倍速での消去パワーと変調度、および、消去パワーとジッタのデータを計測してその関係を示した図である。
【０００８】
図９において、消去パワーとジッタの関係は、その消去パワーでの記録再生特性を示したものである。すなわち、ＤＣ的に消去パワーのレーザー光を照射したものではなく、記録情報の１若しくは０に応じて、記録パワー（マルチパルス）と消去パワーのレーザー光を交互に照射し、情報の上書きを行ったものである。この場合、記録再生特性が最良となるときの消去パワーは５．２ｍＷである。
【０００９】
図９において、消去パワーと変調度の関係は、まず、消去パワーが５．２ｍＷで記録した領域をその消去パワーでＤＣ的に消去した後の変調度を計測したものである。ここで、振幅１／４に相当する消去率が得られるパワーは４．３ｍＷである。
【００１０】
図９のデータから消去パワーのマージンは、記録再生特性が最良となるときの消去パワーから下側約１７％しかなく、記録媒体や情報記録装置のばらつきを考慮すると１７％のマージンは狭く、実用上、完全消去が難しいと言える。言い換えれば、ＤＣ消去時のレーザーパワーが４．３ｍＷを下回ってしまうと、記録領域を再生したときの振幅の１／４の消し残り信号が再生され、再生振幅から記録領域と未記録領域との境界を特定することが困難になる。この傾向は、ＤＶＤ−ＲＷディスクが高感度化、すなわち高倍速記録仕様になるほど、顕著になる。
【００１１】
もっとも、情報を上書きするときの消去パワーをそのまま保持しておけば、マージンが全く無くても完全消去はできる、との見方もある。しかし、上書き動作から（ＤＣ）消去動作へ移行しようとする場合、上書き時とＤＣ消去時とではレーザーの消費電力に差が生じ、レーザーの発熱量、温度が変化し、その結果、発光パワーに誤差が発生する恐れがある。また、図９の実験結果は４倍速記録のＤＶＤ−ＲＷのものであるが、今後、８倍速、１６倍速、とさらに高感度化した場合、前記マージンは１７％どころでは無くなる、と予想される。
【００１２】
本発明は、この点に鑑みなされたもので、高倍速記録対応の書き換え可能型光ディスクへの記録時に、目的のデータを記録した領域に続く所定長の領域を確実に消去して、記録済み領域と未記録領域の境界を正確に探索可能な情報記録装置および情報記録方法を提供することを目的とする。
【課題を解決するための手段】
【００１３】
本発明の情報記録方法は、ディスク状の書き換え可能な記録媒体に対してデータの記録を行う情報記録方法であって、（ａ）前記記録媒体の回転速度を回転速度αに設定して、所定の記録パワーと消去パワーでレーザーを発光させて前記データを記録するステップと、（ｂ）前記記録媒体の回転速度を回転速度β（β＜α）に設定して、所定の消去パワーで前記レーザーを発光させて、所定領域に記録されているデータを消去するステップとを含み、これにより上記目的を達成する。
【００１４】
本発明の情報記録方法は、ディスク状の書き換え可能な記録媒体に対してデータの記録を行う情報記録方法であって、（ａ）前記記録媒体の回転速度を回転速度αに設定するステップと、（ｂ）所定の記録パワーと消去パワーでレーザーを発光させて前記データを記録するステップと、（ｃ）前記記録媒体の回転速度を回転速度β（β＜α）に設定するステップと、（ｄ）前記ステップ（ｂ）で前記データを記録した記録終端に続く所定長の領域におけるデータを、所定の消去パワーで前記レーザーを発光させて、消去するステップとを含み、これにより上記目的を達成する。
【００１５】
前記記録媒体は共晶系相変化材料を含む記録膜が設けられた光ディスクであってもよい。
【００１６】
前記回転速度βは前記回転速度αに対し、α／４≦β≦３α／４の関係にあってもよい。
【００１７】
前記回転速度αは線速度が１３．９６ｍ／秒であってもよい。
【００１８】
本発明の情報記録装置は、ディスク状の書き換え可能な記録媒体に対してデータの記録を行う情報記録装置であって、前記記録媒体にデータの記録又は消去を行う記録消去手段と、前記記録媒体の回転速度を制御する回転速度制御手段と、前記記録消去手段および前記回転速度制御手段の動作を制御するシステム制御手段とを備え、前記システム制御手段は、前記記録媒体の回転速度を回転速度αに設定して、所定の記録パワーと消去パワーでレーザーを発光させて前記データを記録するコマンドと、前記記録媒体の回転速度を回転速度β（β＜α）に設定して、所定の消去パワーで前記レーザーを発光させて、所定領域に記録されているデータを消去するコマンドを、前記記録消去手段と前記回転速度制御手段に対して発行することを特徴とし、これにより上記目的を達成する。
【００１９】
本発明の情報記録装置は、ディスク状の書き換え可能な記録媒体に対してデータの記録を行う情報記録装置であって、前記記録媒体にデータの記録又は消去を行う記録消去手段と、前記記録媒体の回転速度を制御する回転速度制御手段と、前記記録消去手段および前記回転速度制御手段の動作を制御するシステム制御手段とを備え、前記システム制御手段は、前記記録媒体の回転速度を回転速度αに設定するコマンドと、所定の記録パワーと消去パワーでレーザーを発光させて前記データを記録するコマンドと、前記記録媒体の回転速度を回転速度β（β＜α）に設定するコマンドと、前記のデータを記録した記録終端に続く所定長の領域におけるデータを、所定の消去パワーで前記レーザーを発光させて、消去するコマンドを、前記記録消去手段と前記回転速度制御手段に対して発行することを特徴とし、これにより上記目的を達成する。
【００２０】
前記記録媒体は共晶系相変化材料を含む記録膜が設けられた光ディスクであってもよい。
【００２１】
前記回転速度βは前記回転速度αに対し、α／４≦β≦３α／４の関係にあってもよい。
【００２２】
前記回転速度αは線速度が１３．９６ｍ／秒であってもよい。
【発明の効果】
【００２３】
本発明による情報記録装置および情報記録方法は、目的のデータを記録した領域に続く所定長の領域を目的のデータを記録したときの記録速度よりも遅い速度で消去することにより、該所定長の領域を確実に消去することができる。その結果、情報が記録されている書き換え可能型の光ディスクを用いても、確実に追記モードを用いた情報記録を行うことができるようになる。
【発明を実施するための最良の形態】
【００２４】
以下、本発明の実施の形態について図面を参照しながら説明する。
【００２５】
図１は本発明の実施の形態における情報記録装置１００の構成を示すブロック図である。
【００２６】
図１において、回転速度制御手段１０４はスピンドルモータ１０２の回転速度を制御してディスク状の書き換え可能な記録媒体１０１（例えば４倍速記録仕様のＤＶＤ−ＲＷディスク、等）の回転速度を制御する手段である。記録消去手段１０５は光ヘッド１０３（のレーザー）を発光させてデータの記録および消去を行う手段である。記憶手段１０６は記録媒体１０１に記録するデータを保持しておく手段である。システムコントロール手段１０７は回転速度制御手段１０４、記録消去手段１０５の動作を制御する手段である。上位装置１０８は情報記録装置１００に接続された上位の装置であり、例えば、ＡＴＡＰＩインタフェースで接続されたホストコンピュータである。
【００２７】
情報記録装置１００が目的のデータを記録するときの動作を図２を参照しながら説明する。
【００２８】
まず、回転速度制御手段１０４により、スピンドルモータ１０２の回転速度を記録媒体１０１の記録仕様に応じた回転速度αに設定する。スピンドルモータ１０２の回転速度がαに設定されると、記録媒体１０１の回転速度もαになる。
【００２９】
次に、記録消去手段１０５を、記録媒体１０１の記録仕様に応じたパワー、波形でレーザーを発光するように設定して、既に記録されている領域Ａに続く領域Ｂに目的のデータを上書き記録する。所定量のデータが記録し終えるまで、上記設定で記録し続ける。
【００３０】
所定量のデータを記録し終えると、回転速度制御手段１０４は、スピンドルモータ１０２の回転速度を消去時の回転速度β（β＜α）に設定する。スピンドルモータ１０２の回転速度がβに設定されると、記録媒体１０１の回転速度もαよりも低速なβになるとする。
【００３１】
最後に、記録消去手段１０５を消去動作に設定して、目的のデータを記録した領域Ｂに続く所定長領域ＣをＤＣ的に消去する。
【００３２】
以上の動作により目的のデータを記録するとともに後続の領域を消去することが可能となる。
【００３３】
以下、記録媒体１０１としてＤＶＤ−ＲＷを使用して目的のデータを記録する場合をより具体的に説明する。
【００３４】
まず、回転速度制御手段１０４により、スピンドルモータ１０２の回転速度を記録時の回転速度αに設定する。例えば、記録媒体１０１が２倍速、４倍速の各記録速度に対応している場合であれば、回転速度αとして４倍速、すなわち、線速度が１３．９６ｍ／秒となるようにスピンドルモータ１０２の回転速度を制御することを選択できる。
【００３５】
次に、記録消去手段１０５を前記線速度での記録に最適な記録条件に設定して、既に記録されている領域Ａに続く領域Ｂに目的のデータを記録する。記録動作時の光ヘッド１０３のレーザーが発光する記録パルスの例を図３に示す。図３は、８Ｔマークの記録データを記録するときの記録パルスの例であり、図３において、Ｐｏは記録パワー、Ｐｅは消去パワー、Ｐｂはバイアスパワーである。それぞれのパワーの範囲は、仕様上は、７．５≦Ｐｏ≦１４．０ｍＷ、３．０≦Ｐｅ≦８．０ｍＷ、Ｐｂ≦０．７ｍＷであるが、最適パワー値は、最適パワー調整の実施結果などから記録媒体ごとに決定する。このような記録パルスを発光させて目的のデータを記録する領域Ｂに目的のデータを記録する。所定量のデータが記録し終えるまで、上記条件で記録し続ける。
【００３６】
所定量のデータを記録し終えると、回転速度制御手段１０４は、スピンドルモータ１０２の回転速度を消去時の回転速度β（β＜α）に設定する。望ましくはα／４≦β≦３α／４であればよい。例えば、記録媒体１０１が２倍速、４倍速の各記録速度に対応している場合であれば、回転速度βとして２倍速（＝α／２）、すなわち、線速度が６．９８ｍ／秒となるようにスピンドルモータ１０２の回転速度を制御することを選択してもよい。
【００３７】
その後、記録消去手段１０５を消去条件に設定して、目的のデータを記録した領域Ｂに続く所定長領域ＣをＤＣ的に消去する。消去時の光ヘッド１０３が発光するパターンの例を図４に示す。図４において、Ｐｅは消去パワーであり、消去時の発光パターンはパワーＰｅの一定パワー発光となる。なお、消去する所定長の領域は、誤り訂正の単位であるＥＣＣブロックの倍数、例えば、８ＥＣＣブロック長を選択して、その領域を消去するようにすればよい。
【００３８】
以上の動作によりＤＶＤ−ＲＷに対して目的のデータを記録した後、記録および未記録領域の境界を明確に形成することができる。
【００３９】
図５は共晶系相変化記録材料で構成された記録膜を有するＤＶＤ−ＲＷを使用し、２倍速での消去パワーと変調度、および、消去パワーとジッタのデータを計測してその関係を示した図である。
【００４０】
図５において、消去パワーとジッタの関係は、その消去パワーでの記録再生特性を示したものである。すなわち、ＤＣ的に消去パワーのレーザー光を照射したものではなく、記録情報の１若しくは０に応じて、記録パワーＰｏ（マルチパルス）と消去パワーＰｅのレーザー光を交互に照射したものである。この場合、記録再生特性が最良となるときの消去パワーは７．７ｍＷである。
【００４１】
図５において、消去パワーと変調度の関係は、まず、消去パワーが７．７ｍＷで記録した領域をその消去パワーでＤＣ的に消去した後の変調度を計測したものである。ここで、消去パワーの下限、すなわち、振幅１／４に相当する消去率が得られるパワーは２．９ｍＷである。
【００４２】
図５のデータから消去パワーのマージンは、記録再生特性が最良となるときの消去パワーから下側約６２％もあり、記録媒体や情報記録装置のばらつきを考慮しても十分なマージンが確保でき完全消去が可能である。
【００４３】
以上より、本実施の形態における情報記録装置では、目的のデータを記録するとともに後続の領域を確実に消去することが可能であり、再生信号の振幅等を見て記録領域と未記録領域の境界を探索することが可能となり、目的のデータを記録した記録終端を簡単に検出できるようにすることができる。
【００４４】
図６は本発明の実施の形態における情報記録装置１００による情報記録方法を示したフローチャート図である。このフローチャートに基づいて、システムコントロール手段１０７からコマンドが発せられる。以下、図６のフローチャート図を用いて情報記録方法を説明する。
【００４５】
ステップＳ６０１では、回転速度制御手段１０４により、スピンドルモータ１０２の回転速度を記録時の回転速度αに設定する。
【００４６】
ステップＳ６０２では、記録消去手段１０５を記録動作に設定して、目的のデータを記録する。
【００４７】
ステップＳ６０３では、回転速度制御手段１０４により、スピンドルモータ１０２の回転速度を消去時の回転速度βに設定する。但し、ステップＳ６０３で設定する回転速度βはステップＳ６０１で設定した回転速度αよりも低速な速度である。
【００４８】
ステップＳ６０４では、ステップＳ６０２で目的のデータを記録した記録終端に続く所定長の領域を消去する。
【００４９】
以上のステップにより目的のデータの記録を行い、その後続の領域を確実に消去することが可能である。
【００５０】
本実施の形態での情報記録装置および情報記録方法は、記録済みのディスクを消去して未記録の状態にするブランク処理における管理領域の記録および消去処理に使用することも可能である。以下、ブランク処理における管理領域の記録および消去動作についてＤＶＤ−ＲＷを例に説明する。
【００５１】
図７はＤＶＤ−ＲＷの内周部の構造を示したものである。
【００５２】
ブランク処理において図７で示すＲＭＡ（Ｒｅｃｏｒｄｉｎｇ  Ｍａｎａｇｅｍｅｎｔ  Ａｒｅａ）に対しては１ｓｔ  ｐａｒｔの記録と２ｎｄ  ｐａｒｔの消去を行う。ＲＭＡの１ｓｔ  ｐａｒｔの構造は、１ＥＣＣブロックのＲＭＡ  Ｌｅａｄ−ｉｎと５ＥＣＣブロックのＦｏｒｍａｔ２  ＲＭＤ  ｂｌｏｃｋと１ＥＣＣブロックのＦｏｒｍａｔ１  ＲＭＤ  ｂｌｏｃｋからなる。Ｆｏｒｍａｔ２  ＲＭＤ  ｂｌｏｃｋおよびＦｏｒｍａｔ１  ＲＭＤ  ｂｌｏｃｋは２ＫＢ  Ｌｉｎｋｉｎｇ  Ｌｏｓｓ  Ａｒｅａとそれに続くＦｉｅｌｄ０からＦｉｅｌｄ１４までの情報から構成される。なお、５つのＦｏｒｍａｔ２  ＲＭＤ  ｂｌｏｃｋは同一の内容である。
【００５３】
図８はブランク処理の例を示したフローチャート図である。以下、図８のフローチャート図を用いてブランク処理を説明する。
【００５４】
ステップＳ８０１では、ブランク処理開始時点でＲＭＡ内で有効なＦｏｒｍａｔ１  ＲＭＤ  ｂｌｏｃｋにブランク中を示すＦｏｒｍａｔ１  ＲＭＤ  ｂｌｏｃｋを追記する。このとき、ブランク中を示すＦｏｒｍａｔ１  ＲＭＤ  ｂｌｏｃｋを記録したのち、回転速度を消去時の回転速度に変更してブランク中を示すＦｏｒｍａｔ１  ＲＭＤ  ｂｌｏｃｋを記録したＥＣＣブロックの記録終端に続く所定長の領域を消去するようにできる。これにより、記録したブランク中を示すＦｏｒｍａｔ１  ＲＭＤ  ｂｌｏｃｋに続く領域を確実に未記録状態にすることができ、記録したブランク中を示すＦｏｒｍａｔ１  ＲＭＤ  ｂｌｏｃｋがＲＭＡ内の記録済み領域の終端ブロックであることを判別することが容易になる。
【００５５】
ステップＳ８０２では、図７で示すＲＭＡの１ｓｔ  ｐａｒｔを記録する。このＲＭＡの１ｓｔ  ｐａｒｔに含まれるＦｏｒｍａｔ１  ＲＭＤ  ｂｌｏｃｋはブランク中を示すものである。このとき、ＲＭＡの１ｓｔ  ｐａｒｔを記録したのち、回転速度を消去時の回転速度に変更してＲＭＡの１ｓｔ  ｐａｒｔを記録した記録終端に続く所定長の領域、すなわち、ＲＭＡの２ｎｄ  ｐａｒｔ先頭の所定長の領域を消去するようにできる。これにより、ＲＭＡの１ｓｔ  ｐａｒｔに含まれるＦｏｒｍａｔ１  ＲＭＤ  ｂｌｏｃｋに続く領域を確実に未記録状態にすることができ、ＲＭＡの１ｓｔ  ｐａｒｔに含まれるＦｏｒｍａｔ１  ＲＭＤ  ｂｌｏｃｋがＲＭＡ内の記録済み領域の終端ブロックであることを判別することが容易になる。なお、消去する所定長の領域は、ステップＳ８０７で記録するＦｏｒｍａｔ１  ＲＭＤ  ｂｌｏｃｋの領域を考慮して大きめにしておくとよい。例えば、通常８ＥＣＣブロックを消去するのであれば、９ＥＣＣブロックを消去するようにするとよい。
【００５６】
ステップＳ８０３では、図７で示すＲＭＡの２ｎｄ  ｐａｒｔを消去する。このとき、回転速度を消去時の回転速度で消去するようにしてもよいし、ステップＳ８０２で既にＲＭＡの２ｎｄ  ｐａｒｔの先頭領域を確実に未記録状態にしてあるため、記録時の回転速度で消去するようにして消去に所用する時間を短縮することもできる。
【００５７】
ステップＳ８０４では、Ｌｅａｄ−ｉｎの領域を消去する。
【００５８】
ステップＳ８０５では、ブランク処理が最小限ブランクモードかフルブランクモードかを判定して、最小限ブランクモードならばＳ８０７に進み、フルブランクモードならばＳ８０６に進む。
【００５９】
ステップＳ８０６では、Ｄａｔａ  Ａｒｅａの領域を消去する。
【００６０】
ステップＳ８０７では、図７で示すＲＭＡの２ｎｄ  ｐａｒｔの先頭にブランク状態であることを示すＦｏｒｍａｔ１  ＲＭＤ  ｂｌｏｃｋを追記する。ステップＳ８０７で記録したＦｏｒｍａｔ１  ＲＭＤ  ｂｌｏｃｋに続く領域は、既にステップＳ８０２で確実に消去してあるため、ステップＳ８０７で記録したＦｏｒｍａｔ１  ＲＭＤ  ｂｌｏｃｋがＲＭＡ内の記録済み領域の最終ブロックであることを容易に判別することが可能である。
【００６１】
以上のステップによりＤＶＤ−ＲＷのブランク処理時の管理領域の記録およびほぼ確実な消去が可能である。
【００６２】
なお、本実施の形態では、目的のデータを記録したのち、すぐに回転速度を落として目的のデータを記録した領域に続く所定長の領域を消去しているが、情報記録装置から記録媒体が取り出されるまでに、目的のデータを記録した領域に続く所定長の領域を消去すればよく、例えば、ディスクの取り出し要求を受け付けたときや、一定時間記録動作が途切れたときに目的のデータを記録した領域に続く所定長の領域を消去するようにしてもよい。
【００６３】
また、本実施の形態では、目的のデータを記録した後続の領域を確実に消去することが可能であり、記録領域と未記録領域の境界を探索しやすくできることについて説明したが、記録媒体上の最適パワー調整を行う領域であるＰＣＡ（Ｐｏｗｅｒ  Ｃａｌｉｂｒａｔｉｏｎ  Ａｒｅａ）を消去する際に、パワー調整を行うために記録を行う時の回転速度よりもＰＣＡを消去するときの回転速度を低速にして確実に消去するためにも利用できる。
【００６４】
ＰＣＡの消去が必要になるのは、ＰＣＡを全て使い切っており、最適パワー調整を行うために使用できる領域が余っていない場合であり、このときは、最適パワー調整を実施する前であるため消去パワーマージンが広い方が好ましい。図５と図９データより、高倍速で消去を行うよりも低倍速で消去を行う方が消去パワーマージンが広く、システムコントロール手段１０７が保持しているパワー情報、あるいは、記録媒体１０１に記載されているパワー情報を使用して、消去を完全に行うことが可能である。
【００６５】
また、本実施の形態では、記録媒体の具体例としてＤＶＤ−ＲＷで説明を行ったが、同様の特性を示す記録媒体であれば、高倍速で消去を行うよりも低倍速で消去を行う方が消去パワーマージンが広くなり、ＤＶＤ−ＲＷ以外の記録媒体、例えばＢｌｕ−ｒａｙ Ｄｉｓｃ等にも応用できる。
【産業上の利用可能性】
【００６６】
本発明による情報記録装置および情報記録方法は、ディスク状の書き換え可能型記録媒体に対して、目的のデータを記録したのち記録を行ったときの回転速度よりも低速な速度で目的のデータを記録した領域に続く所定長の領域を消去することにより、目的のデータを記録した領域の後続領域を確実に未記録状態にして、記録領域と未記録領域の境界を正確に検出することを可能とし、ホストコンピュータの外部記憶装置などの記録媒体に記録する用途に適用できる。
【図面の簡単な説明】
【００６７】
【図１】本発明の情報記録装置の構成を示すブロック図
【図２】本発明の情報記録装置での記録および消去の状況を示す図
【図３】記録時の発光パターンの例を示す図
【図４】消去時の発光パターンの例を示す図
【図５】２倍速での消去パワーと変調度、消去パワーとジッタの関係を示す図
【図６】本発明の情報記録方法の手順を示すフローチャート
【図７】ＤＶＤ−ＲＷの内周部の構造を示す図
【図８】本発明の情報記録方法におけるＤＶＤ−ＲＷの管理情報領域の記録および消去の手順を示すフローチャート
【図９】４倍速での消去パワーと変調度、消去パワーとジッタの関係を示す図
【符号の説明】
【００６８】
１００    情報記録装置
１０１    記録媒体
１０２    スピンドルモータ
１０３    光ヘッド
１０４    回転速度制御手段
１０５    記録消去手段
１０６    記憶手段
１０７    システムコントロール手段
１０８    上位装置
【図１】
2008052814.tif 000003
【図２】
2008052814.tif 000004
【図３】
2008052814.tif 000005
【図４】
2008052814.tif 000006
【図５】
2008052814.tif 000007
【図６】
2008052814.tif 000008
【図７】
2008052814.tif 000009
【図８】
2008052814.tif 000010
【図９】
2008052814.tif 000011